(57)【特許請求の範囲】
【請求項１】
所定の記憶手段に記憶された複数ページ分のページ画像に関する印刷用データに基づいて，前記ページ画像の印刷プレビュー画像を表示手段に表示させる画像形成装置であって，
所定の操作部を通じて入力される情報に基づいて，前記ページ画像の一のページを特定するページ特定手段と，
複数枚の記録材を重ね置きしたと想定した状態での前記ページ特定手段により特定されたページのページ画像の一部がめくり返された状態における前記特定されたページのページ画像のめくり返されていない部分に相当する第１の領域と，前記めくり返されたことにより見えるページ画像に相当する第２の領域とを含む前記印刷プレビュー画像を前記表示手段に表示させるプレビュー出力手段と，
前記第１の領域が含まれるページ画像全体中或いは前記第２の領域が含まれるページ画像全体中にカラー画像及び／若しくは写真画像が含まれている場合には，前記カラー画像及び／若しくは写真画像が含まれることを示す識別子を印刷プレビュー画像を表示した表示画面中に表示する識別子表示手段を備えたことを特徴とする画像形成装置。
【請求項２】
前記第２の領域が，前記特定されたページの裏面側の一部である請求項１に記載の画像形成装置。
【請求項３】
前記第２の領域が，特定されたページが含まれる記録材の次の記録材の表面の一部である請求項１に記載の画像形成装置。
【請求項４】
前記第２の領域が，特定されたページが含まれる記録材の前の記録材の表面の一部である請求項１に記載の画像形成装置。
【請求項５】
前記プレビュー出力手段が，前記ページ特定手段により特定されたページの一つ前のページの前記ページ画像と，前記めくり返し画像を含む前記特定されたページとが見開き状態で並ぶ前記印刷プレビュー画像を前記表示手段に表示させてなる請求項１〜４のいずれかに記載の画像形成装置。
【請求項６】
前記カラー画像或いは写真画像が含まれているかどうかが，オートカラースキャンによって検知される請求項１〜５のいずれかに記載の画像形成装置。
【請求項７】
前記カラー画像及び／若しくは写真画像が含まれることを示す識別子が，前記カラー画像及び／若しくは写真画像が含まれることを示すマークであるである請求項１〜６のいずれかに記載の画像形成装置。
【請求項８】
前記カラー画像及び／若しくは写真画像が含まれることを示す識別子が，前記カラー画像及び／若しくは写真画像が含まれることを示す文字であるである，請求項１〜７のいずれかに記載の画像形成装置。
【請求項９】
前記カラー画像及び／若しくは写真画像が含まれることを示す識別子が，前記カラー画像及び／若しくは写真画像が含まれることを示すアイコンであるである請求項１〜７のいずれかに記載の画像形成装置。
【請求項１０】
所定の記憶手段に記憶された複数ページ分のページ画像に関する印刷用データに基づいて，前記ページ画像の印刷プレビュー画像を表示手段に表示させる画像形成装置の印刷プレビュー画像表示プログラムであって，
所定の操作部を通じて入力される情報に基づいて，前記ページ画像の一のページを特定するページ特定工程と，
複数枚の記録材を重ね置きしたと想定された状態での前記ページ特定手段により特定されたページのページ画像の一部がめくり返された状態における前記特定されたページのページ画像のめくり返されていない部分に相当する第１の領域と，前記めくり返されたことにより見えるページ画像に相当する第２の領域とを含む前記印刷プレビュー画像を前記表示手段に表示させるプレビュー出力工程と，
を実行することで，印刷プレビュー画像を表示する画像形成装置における印刷プレビュー画像表示プログラムにおいて，
前記第１の領域が含まれるページ画像全体中或いは前記第２の領域が含まれるページ画像全体中にカラー画像及び／若しくは写真画像が含まれている場合には，前記カラー画像及び／若しくは写真画像が含まれることを示す識別子を印刷プレビュー画像を表示した表示画面中に表示する識別子表示工程をコンピュータに実行させるための印刷プレビュー画像表示プログラム。
【発明の詳細な説明】
【技術分野】
【０００１】
本発明は，印刷プレビュー表示機能を備えた画像形成装置及び印刷プレビュー処理をコンピュータに実行させるための印刷プレビュー画像表示プログラムに関するものである。
【背景技術】
【０００２】
複写機やファクシミリ装置等の画像形成装置は，原稿から読み取った１ページ分又は複数ページ分の画像（以下，ページ画像という）に関する印刷用データ（画像データや印刷ジョブデータなど）に基づいて，そのページ画像を記録紙に出力（画像形成）したと想定したときのイメージ画像（プレビュー画像）を液晶パネル等の表示部に表示させる印刷プレビュー機能を備えたものがある。この印刷プレビュー機能は，ユーザの意に反する無駄な画像形成を防止し，記録紙や現像剤の無駄な消費を抑制する上で重要な機能である。
例えば，特許文献１には，製本を予定されて両面印刷が行われるときの印刷結果をプレビュー表示する際に，各ページ画像を表示部に並べて表示させることが示されている。
また，特許文献２には，複数ページ分のページ画像（縮小画像）を一部を重ねた状態で表示部に並べて表示させることが示されている。
【特許文献１】特開２００４−１６４１０５号公報
【特許文献２】特開平４−３７３０７３号公報
【発明の開示】
【発明が解決しようとする課題】
【０００３】
ところで，本出願人は，例えば特願２００７―０１３７４４号において，複数ページ分のページ画像を重ねておいたと想定した状態における特定のページのページ画像について，その原稿の一部をめくった状態に表示するページプレビュー表示手法について既に出願した。このようなページの一部をめくった状態で表示することで，１つのモニタ画面に，多くのページを表示できるようになる。例えば，左右見開きのページについて，左ページの一部と，右ページの一部をそれぞれめくった状態で表示すれば，部分的には隠れた状態であるとはいえ，一度に４ページ分の画像を表示でき，簡単にページを見るというページプレビューの効果を一段と向上させることが出来る。
【０００４】
一方，両面印刷或いは片面印刷においても，実際の印刷（画像形成）前に，各ページにどのような画像（カラー文字，カラー画像など）が含まれているか，あるいは含まれていないのかをプレビュー画像によって確認できることが望ましい。これは，複数のページの中にカラーの画像があることを知らずに黒一色の印刷をしてしまうと，カラー画像の持ち味や品質を維持することができない為であり，カラー画像が含まれていることが分かれば，カラー印刷モードを選択できるからである。
また，複数のページの中に，写真画像が含まれている場合も同様であり，印刷に先立って，複数ページの中に写真画像が含まれているかどうかを簡単に確認することができれば，ユーザが，適切な印刷モードを選ぶことができる。
【０００５】
しかしながら，複数ページの印刷結果をプレビュー表示する場合，上記特願２００７―０１３７４４号に記載したように，ページ画像の一部がめくられた状態で表示すると，ページの一部がめくられていることによって隠されてしまい，隠された部分にカラー画像や写真画像があると，ユーザはこれらの特殊画像があることを知らずに印刷の種類などを設定してしまうために，ユーザが望む適切な印刷を設定出来ないことがあるという問題が新たに発生する。
【０００６】
従って，本発明は上記事情に鑑みてなされたものであり，その目的とするところは，複数ページの印刷を実行する前に，上記のようにめくった状態のプレビュー表示機能を使って確認する場合にも，複数ページの中にカラー画像や写真画像が含まれているかどうかを直感的且つ確実に把握することが出来るプレビュー画像表示手段を備えた画像形成装置及び印刷プレビュー画像表示プログラムを提供することにある。
【課題を解決するための手段】
【０００７】
上記目的を達成するために，本発明に係る画像形成装置は，所定の記憶手段に記憶された複数ページ分のページ画像に関する印刷用データに基づいて，前記ページ画像の印刷プレビュー画像を表示手段に表示させる従来周知の機能に加えて，さらに，次の（１）〜（３）に示す各構成要素を備えている。
（１）所定の操作部を通じて入力される情報に基づいて，前記ページ画像の一のページを特定するページ特定手段。
（２）複数枚の記録材を重ね置きしたと想定された状態での前記ページ特定手段により特定されたページのページ画像の一部がめくり返された状態における前記特定されたページのページ画像のめくり返されていない部分に相当する第１の領域と，前記めくり返されたことにより見えるようになったページ画像に相当する第２の領域とを含む前記印刷プレビュー画像を前記表示手段に表示させるプレビュー出力手段。
（３）  前記第１の領域が含まれるページ画像全体中或いは前記第２の領域が含まれるページ画像全体中にカラー画像及び／若しくは写真画像が含まれている場合には，前記カラー画像及び／若しくは写真画像が含まれることを示す識別子を印刷プレビュー画像を表示した表示画面中に表示する識別子表示手段。
本発明に係る画像形成装置によって表示される前記印刷プレビュー画像によれば，複数のページの１つ（特定されたページ）について，その一部がめくり返されたプレビュー画像が表示される。このプレビュー画像は，めくり返されたことによって見えるようになった部分（第２の領域）と，めくり返されているためにそのまま見える状態を維持している部分（第１の領域）を必ず含んでいる。
【０００８】
第１の領域については，該第１の領域にカラー画像或いは写真画像（以下，カラー画像などという）が含まれていれば，ユーザは苦もなくそのカラー画像などを視認することができる。しかし，第１の領域を含むページ画像のめくり返された部分については，めくられたことで見えなくなっているので，その見えなくなった部分にカラー画像などがあっても，その部分は見えなくなっている。従って，その部分にカラー画像などがあってもユーザは，視認することができない。
そこで，この発明では，前記カラー画像などが含まれることを示す識別子を印刷プレビュー画像を表示した表示画面中に表示させる。これによって，ユーザは，特定されたページにカラー画像が含まれることを簡単且つ直感的に，さらに正確に知ることができるので，カラー画像に適したモードの印刷を指示することができる。
【０００９】
第２の領域について考えると，該第２の領域が，上記特定されたページの裏面のページに含まれる一部の領域である場合と，上記特定されたページを含む記録材の次の（又は前の）記録材に含まれる一部の領域である場合の２通りがある。
前者の場合を考えると，該第２の領域そのものにカラー画像などが含まれていれば，ユーザは苦もなくそのカラー画像などを視認することができる。しかし，上記第２の領域を含むページの上記第２の領域を除く部分については，特定されたページの裏面であるので，上記第２の領域を除いてプレビュー画面には表示されず，見ることができない。従って，この見えない部分にカラー画像などが含まれる場合には，前記カラー画像などが含まれることを示す識別子を印刷プレビュー画像を表示した表示画面中に表示させる。
【００１０】
また，後者についても，該第２の領域そのものにカラー画像などが含まれていれば，ユーザは苦もなくそのカラー画像などを視認することができるが，上記第２の領域を含むページの上記第２の領域を除く部分については，特定されたページに隠れた次の記録材の表面，或いは，特定されたページの記録材の前の記録材の表面であるので，上記第２の領域を除いてプレビュー画面には表示されず，見ることができない。従って，この見えない部分にカラー画像などが含まれる場合には，前記カラー画像などが含まれることを示す識別子を印刷プレビュー画像を表示した表示画面中に表示させる。
もちろん，上記前者の場合と，後者の場合は，いずれか一方のみが生じるものではなく，複数ページが重なった状態では，両方同時に生じるものであるから，同時に生じた両ページについて，前記カラー画像などが含まれることを示す識別子を印刷プレビュー画像を表示した表示画面中に表示させる。
【００１１】
前記プレビュー出力手段が，前記ページ特定手段により特定されたページの一つ前のページの前記ページ画像と，前記めくり返し画像を含む前記特定されたページとが見開き状態で並ぶ前記印刷プレビュー画像を前記表示手段に表示させてなる場合も当然に生じる。
いずれの場合も，隠された部分にカラー画像などが含まれる場合には，それらのカラー画像などが含まれることを示す識別子を印刷プレビュー画像を表示した表示画面中に表示させる。
【００１２】
前記カラー画像或いは写真画像が含まれているかどうかを確認する手法はいろいろなものが考えられるが，周知のオートカラースキャンによって検知するのが一般的である。
【００１３】
前記カラー画像及び／若しくは写真画像が含まれることを示す識別子としては，前記カラー画像及び／若しくは写真画像が含まれることを示すマーク，文字，アイコンなどが考えられる。
【００１４】
本発明は，所定の記憶手段に記憶された複数ページ分のページ画像に関する印刷用データに基づいて，前記ページ画像の印刷プレビュー画像を表示手段に表示させる画像形成装置の印刷プレビュー画像表示プログラムについても同様に適用可能である。
【発明の効果】
【００１５】
本発明によれば，めくられたことで見えなくなる部分あるいはめくられても見えない部分にカラー画像，写真画像などの特徴画像が含まれれば,そのことを示す識別子が表示されるので，作業者は，そのページがどのような特徴画像を含んでいるかを直感的に認識することができる。これによって，作業者は，その後の印刷設定において，カラー印刷をすべきか，黒白印刷で十分であるかといった高度の判断を素早く行うことができるようになる。
【発明を実施するための最良の形態】
【００１６】
以下添付図面を参照しながら，本発明を両面印刷のプレビュー画面に応用した場合の実施の形態について説明し，本発明の理解に供する。もちろん，片面印刷であっても，両面印刷であっても，本発明は，同様に適用可能である。この点については追って詳述する。尚，以下の実施の形態は，本発明を具体化した一例であって，本発明の技術的範囲を限定する性格のものではない。
ここに，図１は，本発明の実施形態に係る画像形成装置Ｘの主要部の構成を表すブロック図，図２は，画像形成装置Ｘにおける印刷プレビュー表示処理の手順を表すフローチャート，図３は，画像形成装置Ｘにおける印刷プレビュー画面の一例を表す図（めくり返してない状態を示す），図４及び図５は，カラー画像などが含まれることを示す識別子を表示した状態を示す印刷プレビュー画面の一例を表す図である。
【００１７】
本発明の実施形態に係る画像形成装置Ｘは，例えば複写機やプリンタ，ファクシミリ装置等の画像形成装置であって，事前にハードディスク等のデータ記憶部に記憶された複数ページ分のページ画像に関する印刷用データに基づいて，そのページ画像の印刷プレビュー画像を表示部に表示させる印刷プレビュー機能を備えている。
まず，図１に示すブロック図を参照しつつ，本発明の実施形態に係る画像形成装置Ｘの主要部の構成について説明する。
画像形成装置Ｘは，スキャナ機能，プリント機能，コピー機能及びファクシミリ機能を備えたいわゆる複合機である。
図１に示すように，画像形成装置Ｘは，メイン制御部１，操作・表示部２，データ記憶部３，画像処理演算部４，ＮＩＣ５，スキャナ部６，プリント部７及びファクシミリ部８等を備え，それらがバス１１を通じて情報の受け渡しが可能な状態で接続されている。
【００１８】
前記操作・表示部２は，情報を入力するための操作部２ａと情報（画像を含む）を表示する表示部２ｂとを備えるものである。その操作部２ａは，例えば，液晶表示装置の表面に設けられたタッチパネルやシートキー等である。また，前記表示部２ｂは，例えば，液晶表示装置である。この操作・表示部２により，利用者に対するマンマシンインターフェースが構成されている。
前記データ記憶部３は，原稿から読み取って得られた画像データの処理や，画像データのプリント処理等の際に，必要に応じてその処理データを記憶する読み書き自在な大容量の不揮発メモリである。
【００１９】
前記画像処理演算部４は，専用の信号処理回路或いはＤＳＰ（Digital Signal Processor）等により構成され，画像データについて各種画像処理を行い，所定の印刷ジョブ記述言語で記述された印刷ジョブを画像形成に用いるビットマップ画像データに変換する処理や，外部装置へ送信する画像データ（例えば，ＪＰＥＧ形式等の所定の符号化がなされた画像データ等）の生成処理等を行うものである。
【００２０】
前記ＮＩＣ５は，例えば標準規格ＩＥＥＥ８０２．３に準拠したＬＡＮ及びインターネット等からなるネットワークを通じて，情報処理端末や電子メールサーバ等の外部装置との間でデータ（スキャナ部６による読み取り画像のデータを含む）の送受信を行う通信インターフェースである。
前記スキャナ部６は，不図示のガラス製の原稿台上に載置された原稿や，不図示のＡＤＦにより搬送される原稿から，その原稿に形成された画像をそのカラー（Ｒ，Ｇ，Ｂ）を区別して読み取るカラースキャナである。
【００２１】
前記プリント部７は，前記メイン制御部１によって制御されるいわゆるプリントエンジンであり，不図示の給紙カセットに収容された記録紙を１枚ずつ順次送り出し，所定の画像形成位置を経て排紙トレイまで搬送するとともに，その画像形成位置において，前記スキャナ部６により原稿から読み取られた原稿の画像データや，画像処理演算部４により生成された印刷用の画像データ等に基づいて，記録紙（記録材の一例）に画像を形成（出力）する機器及びその機器を制御するＭＰＵ等の部品の集合である。また，プリント部７は，記録紙のおもて面とうら面との両方に画像形成を行う両面印刷処理を実行する機能を備えている。
前記ファクシミリ部８は，ＮＣＵ（Network Control Unit）やモデム等の通信手段を備え，ダイヤルアップや通信相手（相手局）との間で通信方法を決定するネゴシエーション処理等を行い，電話回線を通じて他のファクシミリ装置とファクシミリデータ（スキャナ部６による読み取り画像データ）の送受信を行うものである。
【００２２】
前記メイン制御部１は，前記スキャナ部６，前記プリント部７，前記ファクシミリ部８，前記操作・表示部２，前記データ記憶部３及び前記画像処理演算部４の各々を制御するものである。
例えば，メイン制御部１は，プリント部７に，ＮＩＣ５を通じて受信される印刷ジョブに基づく印刷処理（画像形成処理）を実行させる。また，メイン制御部１は，ファクシミリ部８に，指定された送信先の電話番号を発呼して送信対象となる画像データを送信するファクシミリ送信処理を実行させる。さらに，メイン制御部１は，スキャナ部６に，原稿からその原稿に形成された画像を読み取るスキャン処理を実行させる。
また，メイン制御部１は，前記スキャナ部６により原稿から読み取った１ページ分又は複数ページ分の画像（以下，ページ画像という）に関する印刷用データ（画像データや印刷ジョブデータなど）に基づいて，そのページ画像を記録紙に出力（画像形成）したときのイメージ画像（プレビュー画像）を，前記表示部２ｂに表示させる印刷プレビュー処理も実行する。
【００２３】
続いて，図２に示すフローチャート，及び図３，図４に示す印刷プレビュー画面の例を参照しつつ，画像処理装置Ｘが実行する印刷プレビュー処理の手順について説明する。
図２に示す処理が実行される前に，予め印刷用データが前記データ記憶部３（所定の記憶部の一例）に記憶されているものとする。その印刷用データは，前述したように，外部装置から前記ＮＩＣ５を通じて入力される印刷ジョブや，前記スキャナ部６によって読み取られた画像データ等である。なお，以下に示すＳ１，Ｓ２，…は，処理手順（ステップ）の識別記号を表す。
【００２４】
まず，前記メイン制御部１は，前記表示部２ｂに所定の初期メニュー画面を表示させ（Ｓ１），前記操作部２ａを通じて前記初期メニューにおける処理項目の選択操作がなされたか否かを監視する（Ｓ２）。
そして，前記メイン制御部１は，前記初期メニューの表示中に何らかの処理項目の選択操作がなされたことを検知すると，その操作に応じた処理を実行する。
即ち，前記初期メニューに対する操作が，印刷プレビュー表示の処理を要求する操作（印刷プレビュー操作）である場合，前記メイン制御部１は，ページ番号を表す変数ｉに初期値（＝１）を設定した上で（Ｓ３），前記データ記憶部３に処理対象として記憶されている前記印刷用データが，予め両面印刷の対象として選択されている両面印刷用データであるか否かを判別する（Ｓ４）。
前記両面印刷用データは，複数ページ分のページ画像に関する印刷ジョブデータ或いは読み取り画像データ等である。
なお，前記変数ｉは，後述する印刷が行われた場合に，記録紙の面に形成される一のページ画像のページを表す変数である。また，ステップＳ３の処理を実行する前記メイン制御部１が，前記操作部２ａを通じて入力される情報（印刷プレビュー表示を要求する情報）に基づいて，変数ｉの値を特定する前記ページ特定手段の一例であるが，具体的には，後記するページ指定キーにより実現される。
【００２５】
そして，前記メイン制御部１は，ステップＳ４において前記印刷用データが両面印刷用データであると判別した場合，その両面印刷用データに基づいて，（ｉ−１）ページから（ｉ＋２）ページまでの４ページ分のページ画像をデータを生成してデータ記憶部３に記憶する（Ｓ５）。なお，ステップＳ５において，（ｉ−１）ページから（ｉ＋２）ページまでの４ページ分のページ画像のうち，前記両面印刷用データに含まれないページに関する画像データは生成されないことはいうまでもない。
【００２６】
ここに，前記表示部２ｂには，プレビュー画像ｇ１の隣に，先頭ページキー，前ページキー，最終ページキー，次ページキー，ページ指定キーを含むキー群ｇ４と，左めくりキーｇ５Ｌ，右めくりキーｇ５Ｒ，更には終了キーｇ６が表示され，各々のキー押されたときに，先頭ページキーは，表示されるページが先頭のページにジャンプし，前ページキーは，表示されるページが１つ前のページに移り，最終ページキーでは，最終ページに移り，次ページキーでは次のページに移り，ページ指定キーでは，指定されたページに移る。また，左めくりキーｇ５Ｌが押されると，表示されている左右のページの内の左のページの一部がめくり返された表示となり，右めくりキーｇ５Ｒが押されると，表示されている左右のページの内の右のページの一部がめくり返された表示となる。更には終了キーｇ６が押されると，プレビュー画面が閉じられる。
【００２７】
前記Ｓ５の処理が終わると，続いてメイン制御部１（本発明におけるプレビュー出力手段の一例）は，表示部２ｂ内の前記ページ指定キーによって特定されたページ変数ｉを読み込み（Ｓ６），この特定されたページ変数（ページ数に相当）に対応したプレビュー画像を表示する（Ｓ７）。
【００２８】
図３は，ページ変数ｉ＝１であるため（ｉ−１）ページのページ画像が存在しない状態の例であり，図５は，ページ変数ｉ＝４であり（ｉ−１）ページから（ｉ＋２）ページまで（３〜６ページ）の４ページ分のページ画像が存在する場合の例である。図５では，既にページがめくり返されているが，立ち上げ当初は，図３のようにめくり返しが無いプレビュー表示の状態からスタートする。
【００２９】
続いて，メイン制御部１は，前記表示部２ｂに表示されている左めくりキーｇ５Ｌ又は右めくりキーｇ５Ｒのいずれかが押されたかどうかを判断する（Ｓ８）。いずれかのめくりキーが押されると，めくり返された部分を含むプレビュー画像の表示に先立って，後記する第１の領域が含まれるページ画像全体中或いは後記する第２の領域が含まれるページ画像全体中にカラー画像或いは写真画像が含まれているかどうかを，周知のオートカラースキャニングを行なって判断する（Ｓ９）。
【００３０】
前記第１の領域と第２の領域の意味は次の通りである。
すなわち，両面印刷であるか片面印刷であるかにかかわらず，プレビュー表示においてメイン制御部１は，複数枚の記録材を重ね置きしたと想定された状態での前記ページ指定キーにより特定されたページのページ画像の一部がめくり返された状態における前記特定されたページのページ画像のめくり返されていない部分に相当する第１の領域と，前記めくり返されたことにより見えようになったページ画像に相当する第２の領域とを含む前記印刷プレビュー画像を前記表示手段に表示させるのである。
このようなめくりキーの押下に従って，特定されたページを中心とするめくれ状態を表示するのが，本発明におけるプレビュー出力手段の一例である。
図４に示した例で説明する。
この図では１ページ目が最上部に表示されている，従って，特定されたページが１（ページ変数ｉ＝１）の場合である。１ページ目の画像の右下がめくり返されている。この場合，特定されたページが１ページであるので，１ページ目のページ全体のうちのめくり返されることで見えるようになった部分Ｒ２を除く部分Ｒ１が第１の領域の一例であり，上記めくり返されることで見えるようになった部分Ｒ２が，第２の領域の一例である。この場合，第２の領域は，上記特定されたページ（１ページ目）の裏面側（即ち，２ページ目）の一部の領域である。
ただし，この場合，３ページ目（即ち，特定されたページが記録される記録材の次の記録材の表面のページ）の，前記部分Ｒ１とＲ２を除く（Ｒ１とＲ２で隠された部分を除く）部分Ｒ３も，上記めくり返されることで見えるようになった部分の１つであるので，第２の領域の１例である。
めくられる場所は，前記したページの右下に限らず，図３の破線で示した左下のめくり返しもあり得る。この場合，第１の領域はＲ１′であり，第２の領域は，Ｒ２′及びＲ３′である。
【００３１】
図５は，左右見開きの場合であり，前記ページ特定手段により特定されたページの一つ前のページの前記ページ画像と，前記めくり返し画像を含む前記特定されたページとが見開き状態で並ぶ前記印刷プレビュー画像を前記表示手段に表示させてなる場合である。
この場合，特定されたページが４ページの場合である。特定されたページが４ページであるので，右下のめくり返しによって，新たに見えるようになった部分Ｒ５とＲ６が第２の領域であり，部分Ｒ５のめくり返しによって見えなくなった部分を除くページ４の部分Ｒ４が，この場合の第１の領域である。
この場合左右見開きであるから，左半分のページ，即ち３ページ目を特定する場合もあり得る。ここにおいて特定されたページが３ページであるので，破線Ｌで示されている左下のめくり返しによって，新たに見えるようになった部分Ｒ２′とＲ１′が第２の領域である。即ち，第２の領域が，特定されたページが含まれる記録材の前の記録材の表面の一部であるケースである。
また，部分Ｒ２′のめくり返しによって見えなくなった部分を除くページ３の部分Ｒ３′が，この場合の第１の領域である。
以上で，第１及び第２の領域の意味が理解できたことと思われるので，再度前記Ｓ９の説明に戻る。
【００３２】
オートカラースキャニングは，第１の領域が含まれるページ画像全体及び／或いは第２の領域が含まれるページ画像全体について行なわれる。
上記第１の領域が含まれるページ画像全体及び第２の領域が含まれるページ画像全体がどの部分であるかについて前記図４及び図５のケースについて具体的に示す。
【００３３】
［図４について］
上記第１の領域が含まれるページ画像全体とは，Ｒ１の部分が含まれるページ画像全体であるから，Ｒ１の領域及びＲ２の部分の裏面，即ち，１ページ目の前ページ画像のことである。
また第２の領域が含まれるページ画像全体とは，Ｒ２の部分を含むページ，即ち，２ページ目のページ画像全体及びＲ３の部分を含むページ，即ち，３ページ目のページ画像全体のことである。
但し，２ページ目全体と３ページ目全体のいずれかでも良いが，両方についてスキャニングした方が，１ページ目から３ページ目までの全てについてカラー画像などの存在を確認できるので，ユーザにとっては好ましい実施形態である。
【００３４】
［図５について］
同じ考え方で，図５の第１の領域が含まれるページ画像全体とは，特定されたページが４ページの場合には４ページ全体であり，特定されたページが３ページであれば，３ページ全体である。
また，第２の領域が含まれるページ画像全体とは，特定されたページが４ページの場合には，５ページ目のページ全体及び６ページ目のページ全体である。
特定されたページが３ページの場合には，２ページ目のページ全体及び１ページ目のページ全体である。
【００３５】
上の例では，第１の領域が含まれるページの全体を問題にしたが，そのページの第１の領域を除く領域だけを問題にしてもよい。ただし，考え方としては，この手法は第１の領域を含むぺージ全体の中に含まれるので，第１の領域を含むぺージ全体を問題にしていればよい，ものと考えられる。第２の領域についても同様である。
ここで，カラー画像あるいは写真画像の部分が検出されると（Ｓ１０でＹＥＳ），メイン制御部１は，上記画像が検知されたページが，現在のプレビュー表示状態において，裏面の部分であるか否かを判断する（Ｓ１１）。
ここで，そのページ画像が裏面である場合には，めくられた状態で，そのページ中の文字が，正しく正面を向くように，つまりユーザが読める方向にその画像を反転させる（Ｓ１２）。
反対向きのページでは，ユーザが読みにくく，勘違いする可能性があるからである。
【００３６】
更にメイン制御部１は，Ｓ１０でカラー画像などが検知された場合には，カラー画像などが含まれることを示す識別子を，カラー画像などが検知されたページの見える部分に表示する。また，Ｓ１０で検知された赤色画像が，第２の領域を含むページにおいて検出されたものの場合にも，カラー画像などが含まれることを示すマークなどの識別子を，カラー画像などが検知されたページの見える部分に表示する（Ｓ１３）。
【００３７】
図４においては，２ぺージ目に例えば赤色の画像が検知されたために，赤色の画像が含まれることを示す赤色の丸印ｇ７を，めくることで見えるようになった部分Ｒ２に表示し，３ぺージ目に，例えば写真画像が検知されたために，写真画像が含まれることを示すグレーの丸印ｇ８を，めくることで見えるようになった部分Ｒ３に表示している。
【００３８】
尚，前記Ｓ１０において，赤色画像が検知されなかった場合（Ｓ１０でＮＯ）には，Ｓ１１〜Ｓ１３の処理を迂回して，印字処理に移行する（Ｓ１４）。
【００３９】
上記のような，めくられることで見えなくなった箇所，あるいは，めくることで一部しか見えないぺージについて，種々のカラー画像，或いは写真画像などの特徴部が含まれていれば，そのことを識別子で表示することにより，ユーザは，そのページがどのような特徴画像を含んでいるかを直感的に認識することができる。これによって，ユーザは，その後の印刷設定において，カラー印刷をすべきか，黒白印刷で十分であるかといった高度の判断を素早く行うことができるようになる。
【００４０】
ユーザは，上記プレビュー画面を見ることで，カラー画像や写真の有無を確認することが出来るので，この情報に基づいて簡単に適切な印字モードを設定し，印字処理を実行することが出来る（Ｓ１４）。
【００４１】
上の実施形態では，カラー画像や写真画像が含まれることを，そのカラーと同じ色の丸印で表示することが提案されているが，このような識別子は，丸や四角などの符号のみでなく，イメージ画像，アイコン，などでもよく，あるいは，「○○ページに緑色の画像があります。」といった，言葉をしめす文字であってもよい。
また，カラー画像と写真画像の両方が含まれる場合には，両方の識別子を表示するとか，あるいは，カラー画像と写真画像の両方が含まれています，といったコメントを表示することも可能である。
また上の実施形態では，上記のような特殊なプレビュー表示手法を備えた画像形成装置について述べたが，上記の手法は基本的にメイン制御部１の処理であり，メイン制御部１は，上記処理を行うように作成されたプログラムがインストールされることで，このプログラムに従って処理を実行する。従って，上記処理は全て上記処理を行なうプログラムそのものとも把握することが出来，本発明は，そのようなプログラムの発明とも認識することが出来ることは言うまでもない。
【産業上の利用可能性】
【００４２】
本発明は，画像形成装置や印刷プレビュー表示処理をコンピュータに実行させるプログラム等に利用可能である。
【図面の簡単な説明】
【００４３】
図１は，本発明の実施形態に係る画像形成装置Ｘの主要部の構成を表すブロック図，図２は，画像形成装置Ｘにおける印刷プレビュー表示処理の手順を表すフローチャート，図３は，画像形成装置Ｘにおける印刷プレビュー画面の一例を表す図（めくり返してない状態を示す），図４及び図５は，カラー画像などが含まれることを示す識別子を表示した状態を示す印刷プレビュー画面の一例を表す図である
【図１】本発明の実施形態に係る画像形成装置Ｘの主要部の構成を表すブロック図。
【図２】画像形成装置Ｘにおける印刷プレビュー表示処理の手順を表すフローチャート。
【図３】画像形成装置Ｘにおける印刷プレビュー画面の一例を表す図（めくり返してない状態を示す）。
【図４】カラー画像などが含まれることを示す識別子を表示した状態を示す印刷プレビュー画面の一例を表す図。
【図５】カラー画像などが含まれることを示す識別子を表示した状態を示す印刷プレビュー画面の一例を表す図。
【符号の説明】
【００４４】
Ｘ  ：画像形成装置
１  ：メイン制御部
２ｂ：表示部
３  ：データ記憶部
４  ：画像処理演算部
５  ：ＮＩＣ（ネットワークインターフェースカード）
ｇ７，ｇ８：丸印（識別子）
Ｒ１，Ｒ２，…：部分
Ｓ１，Ｓ２，…：処理手順（ステップ）の識別記号
【図１】
0004942688.tif 000002
【図２】
0004942688.tif 000003
【図３】
0004942688.tif 000004
【図４】
0004942688.tif 000005
【図５】
0004942688.tif 000006